(57)【要約】【構成】アナログ受像機１２から入力したコンテンツは、ＭＰＥＧ−ＰＳに符号化されハードディスク２８に記録される。ハードディスク２８からコンテンツが再生されるときは、コンテンツは復号化されテレビモニタ４２に出力される。ここで、コンテンツのトリックプレーの開始時、ＨＤＤ２６とデコーダバッファ３０とを接続する。これによって、入力コンテンツはハードディスク２８を経由して出力される。一方、コンテンツのトリックプレーの終了時、マルチプレクサ２２とデコーダバッファ３０とを接続する。これによって、入力コンテンツはハードディスク２８を経由することなく出力される。【効果】トリックプレーが行われていないときの入力コンテンツと出力コンテンツの表示の時間差を少なくすることができる。つまり、同時録画再生の開始後、最初の画像がテレビモニタに出力されるまでの時間が短くなる。また、記録と再生が独立で行われているので、テンポラリ録画と正規録画とが切り替わる時、再生を一時停止させる必要がなく連続で再生しつづけることが可能となる。【選択図】  図１
2004153735.tif 000002
【特許請求の範囲】
【請求項１】
コンテンツを入力する入力手段、前記入力手段によって入力されたコンテンツを記録媒体に記録する記録手段、前記記録媒体からコンテンツを再生する再生手段、およびコンテンツを出力する出力手段を備えるコンテンツ記録再生装置において、
コンテンツの特殊再生の開始時に前記再生手段と前記出力手段とを接続する第１接続手段、および
前記特殊再生の終了時に前記入力手段と前記出力手段とを接続する第２接続手段をさらに備えることを特徴とする、コンテンツ記録再生装置。
【請求項２】
前記入力手段はコンテンツを符号化する符号化手段を含み、
前記出力手段は前記符号化手段によって符号化されたコンテンツを復号する復号手段を含み、
前記記録手段は前記符号化手段によって符号化されたコンテンツを前記記録媒体に記録する、請求項１記載のコンテンツ記録再生装置。
【請求項３】
前記符号化手段はＭＰＥＧ方式に従う符号化を行う、請求項２記載のコンテンツ記録再生装置。
【請求項４】
前記入力手段によって入力されるコンテンツと前記出力手段によって出力されるコンテンツとは互いに一致する、請求項１ないし４のいずれかに記載のコンテンツ記録再生装置。
【請求項５】
前記入力手段によって入力されるコンテンツは所望の放送チャネルを通じて放送されるコンテンツであり、
前記所望の放送チャネルの切替え時に前記特殊再生を終了するようにした、請求項１ないし４のいずれかに記載のコンテンツ記録再生装置。
【発明の詳細な説明】
【０００１】
【発明の属する技術分野】
この発明は、コンテンツ記録再生装置に関し、特にたとえば、ハードディスクビデオレコーダやＤＶＤビデオレコーダといったコンテンツを入力して記録媒体に記録し、記録したコンテンツを再生して出力する、コンテンツ記録再生装置に関する。
【０００２】
【従来技術】
従来、この種のコンテンツ記録再生装置は、まず入力されたアナログ画像をデジタル画像データに変換して記録媒体に記録し、次に、記録されたデジタル画像データを読み出してアナログ画像に変換して再生することによって、録画と同時に再生する同時録画再生を実現していた。
【０００３】
【発明が解決しようとする課題】
しかし、アナログの入力画像をデジタル画像データに変換するＡ／Ｄ変換処理、デジタル画像データを記録媒体に記録する記録処理、記録媒体に記録されたデジタル画像データを読み出す読出し処理、およびデジタル画像データをアナログに変換するＤ／Ａ変換処理をするために処理時間が必要となり、入力画像と再生画像とにタイムラグが生じていた。このため、再生動作の開始後、再生画面が表示されるまでのレスポンスが悪かった。また、番組のチャンネル切替えや入力画像切替えのとき、表示切替えのレスポンスが悪かった。よって、オペレータに不快感を与えることになっていた。
【０００４】
また、一時記録と正規記録を切り替えるといった同一コンテンツの記録先（記録ファイル）の切替えが必要な場合、従来のコンテンツ記録再生装置では読出し元も切り替える必要があったので表示が一時途切れるという問題があった。
【０００５】
それゆえに、この発明の目的は、入力コンテンツと出力コンテンツとの時間差を少なくすることができ、かつ記録先の変更に出力が影響しない、コンテンツ録画再生装置を提供することである。
【０００６】
【課題を解決するための手段】
この発明は、コンテンツを入力する入力手段、入力手段によって入力されたコンテンツを記録媒体に記録する記録手段、記録媒体からコンテンツを再生する再生手段、およびコンテンツを出力する出力手段を備えるコンテンツ記録再生装置において、コンテンツの特殊再生の開始時に再生手段と出力手段とを接続する第１接続手段、および特殊再生の終了時に入力手段と出力手段とを接続する第２接続手段をさらに備えることを特徴とする、コンテンツ記録再生装置である。
【０００７】
【作用】
入力手段によって入力されたコンテンツは、記録手段によって記録媒体に記録される。記録媒体からコンテンツが再生されたときは、このコンテンツが出力手段によって出力される。ここで、第１接続手段は、コンテンツの特殊再生を開始するとき、再生手段と出力手段とを接続する。これによって、入力コンテンツは記録媒体を経由して出力される。一方、第２接続手段は、コンテンツの特殊再生を終了するとき、入力手段と出力手段とを接続する。これによって、入力コンテンツは記録媒体を経由することなく出力される。
【０００８】
好ましくは、取り込み手段はコンテンツを符号化する符号化手段を含み、出力手段は符号化手段によって符号化されたコンテンツを復号する復号手段を含む。また、記録手段は、符号化手段によって符号化されたコンテンツを記録媒体に記録する。
【０００９】
特殊再生時は、記録媒体から再生された符号化コンテンツが復号処理を経て出力される。特殊再生が終了した後は、入力コンテンツが符号化処理および復号処理を経て出力される。つまり、特殊再生の終了前および終了後のいずれにおいても、符号化コンテンツが出力の対象となる。したがって、再生手段と入力手段との間での接続切替えのタイミング制御が容易になる。なお、符号化手段、好ましくは、ＭＰＥＧ方式に従う符号化を行う。
【００１０】
好ましくは、取り込み手段によって取り込まれるコンテンツと、出力手段によって出力されるコンテンツとは互いに一致する。かかる場合に、入出力の時間差の問題が発生する。
【００１１】
好ましくは、入力手段によって入力されるコンテンツは所望のチャネルを通じて放送されるコンテンツであり、特殊再生は所望のチャネルの切替え時に終了される。この場合、チャネルが切り替えられると同時に、入力手段と出力手段とが接続される。かかる場合に、入出力の時間差が減少する効果が顕著に発生する。
【００１２】
【発明の効果】
この発明によれば、入力手段と出力手段を接続することにより、記録手段および再生手段にかかる処理を省略して短時間で入力画像を出力することができる。さらに、記録手段と出力手段とを独立で動作させることができるので、記録手段による記録先が変更されたときも、出力手段を一時停止させる必要はなく連続で出力し続けることができる。
【００１３】
この発明の上述の目的，その他の目的，特徴および利点は、図面を参照して行う以下の実施例の詳細な説明から一層明らかとなろう。
【００１４】
【実施例】
図１を参照して、この実施例のハードディスクビデオレコーダ１０は、アナログ受信機１２を含む。アナログ受信機１２は、アンテナ（図示せず）から高周波テレビジョン信号を受け、複数の放送チャネルのうち所望のチャネル通じて放送されるコンポジットビデオ信号およびオーディオ信号を出力する。コンポジットビデオ信号はＮＴＳＣデコーダ１４に与えられ、オーディオ信号はオーディオＡ／Ｄ変換器１８に与えられる。
【００１５】
ＮＴＳＣデコーダ１４は、与えられたコンポジットビデオ信号をデコードしてビデオデータを出力する。一方、オーディオＡ／Ｄ変換器１８はオーディオ信号にＡ／Ｄ変換を施してオーディオデータを出力する。
【００１６】
ビデオデータおよびオーディオデータはそれぞれ、ＭＰＥＧエンコーダ４４を形成するＭＰＥＧビデオエンコーダ１６およびＭＰＥＧオーディオエンコーダ２０に与えられる。これにより、ビデオデータはＭＰＥＧビデオエンコーダ１６によってビデオＰＥＳに変換され、オーディオデータはＭＰＥＧオーディオエンコーダ２０によってオーディオＰＥＳに変換される。
【００１７】
マルチプレクサ２２は、ＭＰＥＧビデオエンコーダ１６およびＭＰＥＧオーディオエンコーダ２０から出力されたビデオＰＥＳおよびオーディオＰＥＳを多重してＭＰＥＧ−ＰＳを生成し、生成したＭＰＥＧ−ＰＳをエンコーダバッファ２４を介してＨＤＤ（Ｈａｒｄ  Ｄｉｓｋ  Ｄｒｉｖｅ）２６に与える。さらに、マルチプレクサ２２は、ＭＰＥＧデコーダ４６を形成するデコーダバッファ３０を介してデマルチプレクサ３２にもＭＰＥＧ−ＰＳを与える。
【００１８】
ＨＤＤ２６は、ＭＰＥＧ−ＰＳが格納されたＭＰＥＧファイルを内蔵型のハードディスク２８上に作成する。こうして、所望の番組の映像と音声とがハードディスク２８に記録される。なお、放送される番組やハードディスク２８に形成されるＭＰＥＧファイルは、“コンテンツ”と定義してもよい。
【００１９】
ＨＤＤ２６によって、ハードディスク２８に記録されたＭＰＥＧファイルからＭＰＥＧ−ＰＳが再生されると、当該ＭＰＥＧ−ＰＳはデコーダバッファ３０を介してデマルチプレクサ３２に与えられる。デコーダバッファ３０には、マルチプレクサ２２とＨＤＤ２６との２つ経路によって入力することが可能であるが、ソフトウェアによって入力経路を切替えることができる。入力経路の切替えについて、詳しくは後述する。
【００２０】
デマルチプレクサ３２は、与えられたＭＰＥＧ−ＰＳからビデオＰＥＳおよびオーディオＰＥＳを抽出し、ビデオＰＥＳをＭＰＥＧビデオデコーダ３４に、オーディオＰＥＳをＭＰＥＧオーディオデコーダ３８に与える。
【００２１】
ＭＰＥＧビデオデコーダ３４は、与えられたビデオＰＥＳをデコードしてビデオデータを生成し、生成したビデオデータをＮＴＳＣエンコーダ３６に与える。ビデオデータは、ＮＴＳＣエンコーダ３６によってコンポジットビデオ信号に変換され、変換されたコンポジットビデオ信号はテレビモニタ４２に出力される。この結果、所望の番組の再生映像が、テレビモニタ４２に表示される。
【００２２】
ＭＰＥＧオーディオデコーダ３８は、与えられたオーディオＰＥＳをデコードしてオーディオデータを生成する。生成されたオーディオデータはオーディオＤ／Ａ変換器４０によってアナログオーディオ信号に変換され、変換されたオーディオ信号はテレビモニタ４２に出力される。この結果、所望の番組の再生音声が、テレビモニタ４２のスピーカから出力される。
【００２３】
この実施例のハードディスクビデオレコーダ１０は、オペレータの録画指示に従って録画をする正規録画機能のほか、オペレータの録画指示の出てないときに録画するテンポラリ録画機能を有する。常時録画機能をオン状態にすると、電源の投入と同時に番組録画（テンポラリ録画）が開始される。テンポラリ録画時にハードディスク２８上に作成されるテンポラリ録画ＭＰＥＧファイルには、ファイル名“ＲＩＮＧＢＵＦＦ．ｍｐｇ”が割り当てられる。
【００２４】
ただし、テンポラリ録画によって作成されるＭＰＥＧファイルのサイズは予め規定されており、取り込まれたＭＰＥＧ−ＰＳのサイズがこの規定サイズを超えると、先行するＭＰＥＧ−ＰＳは、後続のＭＰＥＧ−ＰＳによって上書きされる。つまり、ＭＰＥＧ−ＰＳのサイズが規定サイズを超えた時点で、ＭＰＥＧファイルはいわゆるリングファイルとなる。
【００２５】
操作パネル５４の録画開始キーが操作されると、ＣＰＵ５０は、テンポラリ録画を停止し、正規録画を開始する。テンポラリ録画の停止によって“ＲＩＮＧＢＵＦＦ．ｍｐｇ”がクローズされ、正規録画の開始によって“ＳＡＮ＊＊＊＊．ｍｐｇ”というファイル名の正規録画ファイルの作成およびオープンが実行される。正規録画ＭＰＥＧファイル“ＳＡＮ＊＊＊＊．ｍｐｇ”はハードディスク２８上に作成され、正規録画が開始された後に生成されたＭＰＥＧ−ＰＳは“ＳＡＮ＊＊＊＊．ｍｐｇ”に書き込まれる。
【００２６】
操作パネル５４の録画停止キーが操作されると、ＣＰＵ５０は、正規録画を停止し、再びテンポラリ録画を開始する。正規録画の停止によって“ＳＡＮ＊＊＊＊．ｍｐｇ”がクローズされ、テンポラリ録画の開始によって“ＲＩＮＧＢＵＦＦ．ｍｐｇ”がオープンされる。テンポラリ録画の開始後に生成されたＭＰＥＧ−ＰＳは“ＲＩＮＧＢＵＦ．ｍｐｇ”の先頭から書き込まれていく。
【００２７】
トリックプレー（特殊再生）について、操作パネル５４のトリックプレー操作キーが操作されると、ＣＰＵ５０は、トリックプレーを開始したり停止したりする。この実施例では、入力コンテンツをＨＤＤ２６を介さずテレビモニタ４２に出力する“入力画像リアルタイム再生”以外の再生をトリックプレーとする。具体的にトリックプレーは、“一時停止再生”、“スロー再生”、“巻戻し再生”、“早送り再生”および“遅れ再生”がある。それぞれのトリックプレーについて説明すると、“一時停止再生”とは、トリックプレーが指示された時点の静止画像を継続して再生することである。“スロー再生”とは、通常再生よりも遅い速度で順方向に（未来に向かって）動く動画像を再生することである。“巻戻し再生”とは、逆方向に（過去に遡って）動く動画像を再生することである。“早送り再生”とは、通常再生速度より速い速度で順方向に動く動画像を再生することである。“遅れ再生”とは過去のある時点以降の動画像を通常再生速度で再生することである。なお、“一時停止再生”、“スロー再生”、“巻戻し再生”、“早送り再生”および“遅れ再生”では、再生コンテンツと記録コンテンツとは互いに一致する。
【００２８】
デマルチプレクサ３２の入力経路は、トリックプレーが行われているか否かで切り替わる。トリックプレーが行われていない場合、つまり、“入力画像リアルタイム再生”が行われている場合、デコーダバッファ３０はマルチプレクサ２２からＭＰＥＧ−ＰＳを受け取る。したがって、この場合、マルチプレクサ２２はＭＰＥＧ−ＰＳをＨＤＤ２６とデマルチプレクサ２６とに並行して送ることになる。一方、トリックプレーが行われている場合、デコーダバッファ３０はＨＤＤ２６からＭＰＥＳ−ＰＳを受け取る。これは、トリックプレーでは、ＨＤＤ２６に既に記録されたＭＰＥＧデータを使用するからである。
【００２９】
コンテンツが時間に従って図２（ａ）〜図２（ｃ）に示すように流れる場合、タイミングＴｒｅｃはハードディスク２８に現時点で記録されたコンテンツの放送時刻に相当し、タイミングＴｃｕｒはマルチプレクサ２２から現時点で出力されたコンテンツの放送時刻に相当し、そしてタイミングＴｒｅｐは現時点でデコードバッファ３０に入力されたコンテンツの放送時刻に相当する。
【００３０】
図２（ａ）は“入力画像リアルタイム再生”を行ったときのタイミングＴｒｅｃ、ＴｃｕｒおよびＴｒｅｐの関係を示す。“入力画像リアルタイム再生”時、デコーダバッファ３０は、マルチプレクサ２２からＭＰＥＧ−ＰＳを取り込むため、タイミングＴｒｅｐはタイミングＴｃｕｒと一致する。ただし、コンテンツをハードディスク２６に記録するときはヘッドシークなどに起因するタイムラグが生じるため、タイミングＴｒｅｃはタイミングＴｃｕｒおよびＴｒｅｐよりも遅れる。
【００３１】
図２（ｂ）は、トリックプレー操作によって過去（たとえば５分前）に記録されたコンテンツの再生が指示されたときのタイミングＴｒｅｃ、ＴｃｕｒおよびＴｒｅｐの関係を示す。過去に記録されたコンテンツを再生するとき、デコーダバッファ３０はＨＤＤ２６からコンテンツを取り込む。このため、タイミングＴｒｅｐとタイミングＴｃｕｒとの間に、たとえば５分の時間差が生じる。
【００３２】
図２（ｃ）は、図２（ｂ）に示す状態から早送り再生を行い、ＴｒｅｐがＴｒｅｃに追いついたときのタイミングＴｒｅｃ、ＴｃｕｒおよびＴｒｅｐの関係を示す。トリックプレーから“入力画像リアルタイム再生”への復帰操作が行われない限り、デコーダバッファ３０はＨＤＤ２６からコンテンツを取り込む。このため、タイミングＴｒｅｐは、タイミングＴｒｅｃよりも未来側にシフトすることができない。
【００３３】
図２における（ａ）〜（ｃ）の状態および装置の電源オフ状態を表した遷移図を図３に示す。ここで、図２（ａ）に示す状態を状態Ａと定義し、図２（ｂ）に示す状態を状態Ｂと定義し、図２（ｃ）に示す状態を状態Ｃと定義し、そして電源オフ状態を状態ＯＦＦと定義する。状態Ａ、ＢまたはＣにおいて電源オフ操作が行われると、遷移Ａ１、Ｂ１、またはＣ１が起こる。状態ＯＦＦにおいて電源オン操作が行われると、遷移ＯＦＦ１が起こる。状態Ａ、ＢまたはＣにおいて入力切替操作あるいはチャンネル切替操作が行われると、遷移Ａ４、Ｂ２またはＣ２が起こる。状態ＡまたはＣにおいてタイミングＴｒｅｃよりも過去の位置を再生するトリックプレー操作が行われると、遷移Ａ２またはＣ３が起こる。なお、状態ＡまたはＣにおいて、“早送り再生”のトリックプレーを行うことはできない。状態ＡにおいてタイミングＴｒｅｃとタイミングＴｃｕｒとの間の位置を再生するトリックプレー操作が行われると、遷移Ａ３が起こる。このとき、再生位置がタイミングＴｒｅｃより未来の場合は、タイミングＴｒｅｃが再生位置に追いつくのを待ってから状態Ｃに遷移する。状態Ｂにおいて“早送り再生”をする場合、タイミングＴｒｅｃに追いつくまでは遷移Ｂ４が起こり、タイミングＴｒｅｃに追いつくと遷移Ｂ３が起こる。状態Ｂにおいて、“早送り再生”以外のトリックプレー操作が行われると、遷移Ｂ４が起こる。状態ＢまたはＣにおいて“入寮画像リアルタイム再生”の開始操作（トリックプレーの停止操作）が行われると、遷移Ｂ２またはＣ２が起こる。状態Ｂにおいて“巻戻し再生”によって記録済コンテンツの先頭に達すると、トリックプレーが強制的に終了し、遷移Ｂ２が起こる。
【００３４】
ＣＰＵ５０がＲＯＭ５２に記述されているソフトウェアを実行することによって、上記のような動作の制御が行われる。図４を参照して、電源が投入されると、ステップＳ１でテンポラリ録画を開始する。ここでは、テンポラリ録画ＭＰＥＧファイル“ＲＩＮＧＢＵＦＦ．ｍｐｇ”をハードディスク２８上に作成し、作成されたファイルをオープンし、そしてマルチプレクサ２２からエンコーダバッファ２４へのＭＰＥＧ−ＰＳの転送を開始する。なお、“ＲＩＮＧＢＵＦＦ．ｍｐｇ”が既に存在するときは、ファイル作成は省略される。
【００３５】
次に、ステップＳ５で同時録画再生処理が実行される。同時録画再生処理の詳細については後述する。次に、ステップＳ７で操作パネル５４の録画開始キーの操作によって正規録画開始命令が発行されたかどうかを判断し、正規録画開始命令がなければ再びステップＳ５の同時録画再生処理を実行する。一方、正規録画開始命令があればステップＳ９に進む。
【００３６】
ステップＳ９で、マルチプレクサ２２からエンコーダバッファ２４へのＭＰＥＧ−ＰＳの転送を停止し“ＲＩＮＧＢＵＦＦ．ｍｐｇ”をクローズすることにより、テンポラリ録画を停止する。ファイルクローズが完了すると次のステップＳ１３に進み、正規録画開始する。具体的には、正規録画ＭＰＥＧファイル“ＳＡＮ＊＊＊＊．ｍｐｇ”をハードディスク２８上に作成し、作成されたファイルをオープンし、そしてマルチプレクサ２２からエンコーダバッファ２４へのＭＰＥＧ−ＰＳの転送を再開する。作成されたファイルには、エンコーダバッファ２４から送られるＭＰＥＧ−ＰＳが書き込まれる。
【００３７】
正規録画が開始されると、次のステップＳ１７の同時録画再生処理に進む。ステップＳ１７の同時録画再生処理についてはステップＳ５と同じもので、詳細は後述する。次に、ステップＳ１９で操作パネル５４の録画停止キーの操作によって正規録画停止命令が発行されたかどうかを判断し、正規録画開始命令がなければ再びステップＳ１７の同時録画再生処理を実行する。一方、正規録画停止命令があればステップＳ２１に進む。
【００３８】
ステップＳ２１では、マルチプレクサ２２からエンコーダバッファ２４へのＭＰＥＧ−ＰＳの送信を停止し“ＳＡＮ＊＊＊＊．ｍｐｇ”をクローズすることにより、正規録画を停止する。正規録画停止処理を完了するとステップＳ１に戻り、テンポラリ録画を開始する。
【００３９】
以上がＣＰＵ５０で実行されるメイン処理である。次に、メイン処理のうちステップＳ５およびステップＳ１７の同時録画再生処理について説明する。
【００４０】
まず、同時録画再生処理の実行において、トリックプレー要求フラグが使われる。トリックプレー要求フラグは、“ＯＮ”と“ＯＦＦ”の２値を持つ。操作パネル５４のトリックプレー操作キーの操作によりトリックプレーが開始されたとき、トリックプレー要求フラグは“ＯＮ”となり、以降、操作パネル５４の操作によりトリックプレーが停止されるまで、トリックプレー要求フラグは“ＯＮ”の値を持つ。一方、操作パネル５４の操作によりトリックプレーが停止されると、トリックプレー要求フラグは“ＯＦＦ”となり、以降、操作パネル５４のトリックプレー操作キーの操作によりトリックプレーが開始されるまで、トリックプレー要求フラグは“ＯＦＦ”の値を持つ。
【００４１】
また、トリックプレー要求フラグと図３の状態との関係は次のようになる。状態Ａのとき、トリックプレー要求フラグは“ＯＦＦ”となる。状態ＢまたはＣのとき、トリックプレー要求フラグは“ＯＮ”となる。
【００４２】
図５を参照して、同時録画再生処理が実行されると、最初に、ステップＳ３１でトリックプレー停止要求が出ているかどうかを判断する。これは、トリックプレー要求フラグが“ＯＮ”の値を持つとき、つまりトリックプレー中に、トリックプレー停止要求に応じてトリックプレー要求フラグの値を“ＯＦＦ”にするためである。また、トリックプレー停止要求は、操作パネル５４の操作により発行されるほか、図３で遷移Ｂ２またはＣ２が起こったときにも発行される。このように、ステップＳ３１でトリックプレー停止要求が出ていればステップＳ４１に進み、トリックプレー要求フラグの値を“ＯＦＦ”にして、ステップＳ３５へと進む。一方、トリックプレー停止要求が出ていなければ、ステップＳ３３に進む。
【００４３】
ステップＳ３３では、トリックプレー要求フラグの値が“ＯＦＦ”かどうかを判断する。トリックプレー要求フラグの値が“ＯＮ”のときは、ステップＳ４５に進みトリックプレーを行う。トリックプレー要求フラグの値が“ＯＦＦ”のときは、ステップＳ３５に進み操作パネル５４からトリックプレー要求が出ているかを判断する。ステップＳ３５でトリックプレー要求が出ているとき、ステップＳ４３に進みトリックプレー要求フラグの値を“ＯＮ”にしたのち、ステップＳ４５に進みトリックプレーを行う。一方、ステップＳ３５でトリックプレー要求が出ていないと判断すれば、ステップＳ３７以降を処理して通常の同時録画再生を行う。
【００４４】
トリックプレーが行われていない時の再生、つまり“入力画像リアルタイム再生”は、ステップＳ３７以降を実行することにより実現している。まず、ステップＳ３７でＭＰＥＧ−ＰＳをエンコーダバッファ２４とデコーダバッファ３０とに転送するようにマルチプレクサ２２に命令を与える。ステップＳ３９では、エンコーダバッファ２４が受け取ったＭＰＥＧ−ＰＳをハードディスク２８に書き込む。書き込み先のファイルは、テンポラリ録画のときは“ＲＩＮＧＢＵＦＦ．ｍｐｇ”で、正規録画のときは“ＳＡＮ＊＊＊＊．ｍｐｇ”となる。ステップ３９の処理が完了すると、メインルーチンに復帰する。
【００４５】
トリックプレーは、ステップＳ４５以降を実行することにより実現している。まず、ステップＳ４５で、マルチプレクサ２２の出力（ＭＰＥＧ−ＰＳ）をエンコーダバッファ２４を介してハードディスク２８に書き込む。書き込み先のファイルは、テンポラリ録画のときは“ＲＩＮＧＢＵＦＦ．ｍｐｇ”で、正規録画のときは“ＳＡＮ＊＊＊＊．ｍｐｇ”となる。次に、ステップＳ４７で、まず、ステップＳ４５でＭＰＥＧ−ＰＳを書き込んでいるＭＰＥＧファイルをオープンする。ＭＰＥＧファイルのオープンが完了すると、オープンしたＭＰＥＧファイルのうちオペレータが指示する位置からオペレータの指示する方向および速度で適宜画像を読み出していく。ステップＳ４７の処理が完了すると、メインルーチンに復帰する。
【００４６】
以上の説明から、アナログ受像機１２から入力したコンテンツは、ＭＰＥＧ−ＰＳに符号化されＨＤＤ２６に内蔵しているハードディスク２８に記録される。ハードディスク２８からコンテンツが再生されたときは、コンテンツはＭＰＥＧ−ＰＳから復号化されテレビモニタ４２に出力される。本発明の請求項にある第１接続手段は、コンテンツのトリックプレーを開始するとき、ＨＤＤ２６とデコーダバッファ３０とを接続することに相当する。これによって、入力コンテンツはハードディスク２８を経由して出力される。また、第２接続手段は、コンテンツのトリックプレーを終了するとき、マルチプレクサ２２とデコーダバッファ３０とを接続することに相当する。これによって、入力コンテンツはハードディスク２８を経由することなく出力される。
【００４７】
このような構成にした結果、トリックプレーが行われていないときの入力コンテンツと出力コンテンツの表示の時間差を少なくすることができる。同時録画再生が始まるとき、最初の画像がテレビモニタに出力されるまでの時間が短くなり、オペレータの待ち時間が少なくなる。また、チャンネル切替えなどにより入力コンテンツが切り替わるとき、入力コンテンツの切替え操作が行われてから、実際にテレビモニタに表示コンテンツが切り替わるまでの時間差が少なくなり、オペレータの不快感を解消することができる。
【００４８】
さらに、テンポラリ録画から正規録画に切り替わる時および正規録画からテンポラリ録画に切り替わる時、これまでの技術では再生ファイルが切り替わるため再生を一時停止しなければならなかった。しかし、本発明による本実施例では“入力画像リアルタイム再生”時、記録と再生が独立で行われているので、再生を一時停止させる必要がなく、連続で入力コンテンツを再生し続けることが可能となる。
【００４９】
なお、この実施例では、マルチプレクサ２２とデコーダバッファ３０を接続することにより、ＨＤＤ２６を経由しない再生経路を確立したが、図６のようにＮＴＳＣデコーダ１４とＮＴＳＣエンコーダ３６とを接続してかつオーディオＡ／ＤとオーディオＤ／Ａとを接続することにより、ＨＤＤ２６を経由しない再生経路を確立してもよい。図６では、コントローラ５６を設けることにより、ＮＴＳＣデコーダから直接送られてくるビデオデータとＭＰＥＧビデオデコーダ３４から送られてくるビデオデータのうちどちらをＮＴＳＣエンコーダ３６に送るかを制御している。また、コントローラ５８を設けることにより、オーディオＡ／Ｄから直接送られてくオーディオデータとＭＰＥＧオーディオデコーダ３８から送られてくるオーディオデータのうちどちらをオーディオＤ／Ａに送るかを制御している。コントローラ５６およびコントローラ５８で行われている制御については、前述のトリックプレー要求フラグに応じて行われる制御なので、詳しい説明は省略する。
【００５０】
図には示していないが、ＭＰＥＧビデオエンコーダ１６とＭＥＰＧビデオデコーダ３４を接続し、ＭＥＰＧオーディオエンコーダ２０とＭＰＥＧオーディオデコーダ３８を接続することによりＨＤＤ２６を経由しない再生経路を確立してもよい。
【００５１】
同じく図には示していないが、エンコーダバッファ２４とデコーダバッファ３０とを接続することによりＨＤＤ２６を介さない再生経路を確立してもよい。
【００５２】
また、本実施例では、記録媒体として内蔵のＨＤＤを採用しているが、着脱自在の記録媒体を採用してもよい。
【図面の簡単な説明】
【図１】この発明の一実施例を示すブロック図である。
【図２】図１実施例の動作の一部を示す図解図である。
【図３】図１実施例の動作の一部の状態遷移を示す状態遷移図である。
【図４】図１実施例の動作の一部を示すフロー図である。
【図５】図１実施例の動作の他の一部を示すフロー図である。
【図６】この発明の他の一実施例を示すブロック図である。
【符号の説明】
１０…ハードディスクビデオレコーダ
１１…アナログ受信機
１３…ＭＰＥＧビデオエンコーダ
１５…ＭＰＥＧオーディオエンコーダ
１８…ＨＤＤ
２２…ＭＰＥＧビデオデコーダ
２４…ＭＰＥＧオーディオエンコーダ
２６…テレビモニタ
４４…ＭＰＥＧエンコーダ
４６…ＭＰＥＧデコーダ
【図１】
2004153735.tif 000003
【図２】
2004153735.tif 000004
【図３】
2004153735.tif 000005
【図４】
2004153735.tif 000006
【図５】
2004153735.tif 000007
【図６】
2004153735.tif 000008